(57)【特許請求の範囲】
【請求項１】
複数の端末とインターネットに接続するインターネットアクセスサーバーとを収容する複数の交換機におけるインターネットアクセスポイントへの自動接続制御方式であって、
ネットワークを介して各交換機と各インターネットアクセスサーバーとを接続する接続制御装置を備え、
前記交換機は、前記端末から自局で収容するインターネットアクセスサーバーへの呼設定要求を受けると送信元の電話番号を基に着信先の電話番号が前記接続制御装置の指示による転送先対象のアクセスサーバーであるかの判断を行う判断手段と、
転送先対象のアクセスサーバーであった場合には前記接続装置からの指示に従って前記呼設定の変更先を変える変更手段とを有し、
前記インターネットアクセスサーバーは、自局の交換機とを接続する空ポートを監視する監視手段と、
前記接続制御装置からの空ポート問合せに対して前記空ポート情報を通知する通知手段とを有し、
前記接続制御装置は、前記インターネットアクセスサーバーに対して周期的に前記空ポート問合せを行うことで前記インターネットアクセスサーバー毎に前記空ポート情報を収集する収集手段と、
前記収集した空ポート情報を分析することで空ポート不足のインターネットアクセスサーバーを検知する検知手段と、
登録されているユーザー情報から各前記交換機がどこの前記交換機まで前記呼設定を転送すればよいかの転送先情報を作成することで転送先を判定する判定手段と、
前記転送先情報を基に前記各交換機に対してどの交換機経由で空きポート不足のないインターネットアクセスサーバーに転送すればよいかの指示を行う指示手段とを有することを特徴とするインターネットアクセスポイントへの自動接続制御方式。
【請求項２】
前記ユーザー情報は、ユーザーの電話番号と接続先の優先順位を付加したインターネットアクセスポイントの電話番号と検知手段で検知する空ポート不足情報とを含み、
前記判定手段は、検知手段で検知した空ポート不足のアクセスサーバーの電話番号を基に前記ユーザー情報から優先順位の高いインターネットアクセスポイントの電話番号を検索して前記ユーザーの電話番号に対する転送先の電話番号を含んだ前記転送先情報を作成することを特徴とする請求項１記載のインターネットアクセスポイントへの自動接続制御方式。
【請求項３】
前記ユーザー情報内のユーザーの電話番号と接続先の優先順位を付加したインターネットアクセスポイントの電話番号とは、前記端末から登録する情報であることを特徴とする請求項１または２記載のインターネットアクセスポイントへの自動接続制御方式。
【請求項４】
前記ユーザー情報内の空ポート不足情報を空きポート不足として登録する強制登録手段を有することを特徴とする請求項１または２記載のインターネットアクセスポイントへの自動接続制御方式。
【請求項５】
前記交換機は、前記転送先対象のアクセスサーバーであり前記指示手段での空ポート不足のないインターネットアクセスサーバーの指示がなければ前記呼設定の処理を中止する中止手段を有することを特徴とする請求項１記載のインターネットアクセスポイントへの自動接続制御方式。
【請求項６】
複数の端末とインターネットに接続するインターネットアクセスサーバーとを収容する複数の交換機におけるインターネットアクセスポイントへの自動接続制御方法であって、
ネットワークを介して各交換機と各インターネットアクセスサーバーとを接続する接続制御装置を準備し、
前記交換機は、前記端末から自局で収容するインターネットアクセスサーバーへの呼設定要求を受けると送信元の電話番号を基に着信先の電話番号が前記接続制御装置の指示による転送先対象のアクセスサーバーであるかの判断を行い、
転送先対象のアクセスサーバーであった場合には前記接続装置からの指示に従って前記呼設定の変更先を変え、
前記インターネットアクセスサーバーは、自局の交換機とを接続する空ポートを監視し、
前記接続制御装置からの空ポート問合せに対して監視して得た前記空ポート情報を通知し、
前記接続制御装置は、前記インターネットアクセスサーバーに対して周期的に前記空ポート問合せを行って前記インターネットアクセスサーバー毎に前記空ポート情報を収集し、
前記収集した空ポート情報を分析して空ポート不足のインターネットアクセスサーバーを検知し、
登録されているユーザー情報から前記各交換機がどこの前記交換機まで前記呼設定を転送すればよいかの転送先情報を作成することで転送先を判定し、
前記転送先情報を基に前記各交換機に対してどの交換機経由で空きポート不足のないインターネットアクセスサーバーに転送すればよいかの指示を行うことを特徴とするインターネットアクセスポイントへの自動接続制御方法。
【請求項７】
前記空ポート不足のインターネットアクセスサーバーを検知した場合には、検知したインターネットアクセスサーバーの電話番号を基に、前記ユーザー情報から優先順位の高いインターネットアクセスポイントの電話番号を抽出して前記ユーザーの電話番号に対する転送先の電話番号を含んだ転送先情報を作成することを特徴とする請求項６記載のインターネットアクセスポイントへの自動接続制御方法。
【請求項８】
前記ユーザー情報は、前記端末から登録するユーザーの電話番号と接続先の優先順位を付加したインターネットアクセスポイントの電話番号とを含む情報であることを特徴とする請求項６または７記載のインターネットアクセスポイントへの自動接続制御方法。
【請求項９】
前記ユーザー情報内に特定の前記アクセスサーバーに対して空きポート不足として登録することを特徴とする請求項６，７，または８記載のインターネットアクセスポイントへの自動接続制御方法。
【発明の詳細な説明】
【０００１】
【発明の属する技術分野】
本発明は、インターネットアクセスポイントへの自動接続制御方式および方法に関し、特に、アクセスポイントで使用する空ポート不足を事前に察知して、別のインターネットアクセスポイントに接続するインターネットアクセスポイントへの自動接続制御方式および方法に関する。
【０００２】
【従来の技術】
近年インターネット利用者が急激に増大しておりインターネット接続の為の増設が間に合わない状況になりつつあり、現実問題としてインターネット利用者が契約プロバイダーのアクセスポイントにアクセスしても接続出来ない問題が発生している。インターネット利用者にとってインターネットを利用したい時に接続出来ない状況は情報社会におけるインターネット普及に逆行するものでありインターネットを利用した各種サービスの提供にも影響を及ぼすものである。
【０００３】
特に、ダイヤルアップ方式による電話回線を利用したインターネット接続においては、インターネット利用者が各プロバイダーの各地に設定しているアクセスポイントのインターネットアクセスサーバー（各利用者がモデムを介してアクセスサーバーに接続することによりインターネット網に接続可能とする装置）に接続しようとした際、アクセスサーバー側の空ポートが不足すると接続ができなくなることがある。この場合、利用者はアクセスサーバーのポートが空くのを待つか、または空ポートのあるアクセスポイントを探して別のアクセスポイントへダイヤルアップのやり直しを繰り返さなければならない。
【０００４】
そのため、上記の問題点を解決する１つの手法として、特開２０００−２０９２６８号公報で開示されている。
【０００５】
この公報に開示された従来技術では、ユーザーはＩＳＤＮ回線契約者であることを前提としてユーザー端末から端末接続装置を介してアクセスポイント、サーバー、ノード等を定期的に調査するルーティング情報提供センターにアクセスすることにより、最適なアクセスポイントを選択して、端末接続装置が回線ルーティングを行うようにしている。
【０００６】
【発明が解決しようとする課題】
しかしながら、特開２０００−２０９２６８号公報で開示されている従来技術では、ユーザーが契約（利用可能な）しているプロバイダーのアクセスポイントがユーザー端末を収容している交換機より遠く離れた県外であったとしてもルーティング情報提供センターで最も最適と判断された場合は、遠く離れたアクセスポイントを接続してしまうという問題点がある。更に、このような場合、ユーザーには普段よりも高額な接続料金の負担を強いることとなり、どこのアクセスポイントに接続されたか知らずにインターネットを利用するユーザーにとっては不利益となるという問題点がある。
【０００７】
また、特開２０００−２０９２６８号公報で開示されている従来技術では、端末接続装置が本来必要としないルーティング情報提供センターにアクセスして宛先を確認してからアクセスポイントに接続しなければならず、ユーザー端末から見れば、無駄な回線接続および処理時間を必要としなければならないという問題点がある。
【０００８】
本発明の目的は、上記の問題点を鑑み、インターネット利用のユーザーがアクセスポイントのリソース不足による接続拒否にあう事なく１回の接続操作によりユーザー利用可能（ユーザーが接続しても構わないと登録したアクセスポイント）なアクセスポイントを接続することにある。
【０００９】
また、本発明の目的は、交換機側の無駄な接続処理を軽減させ、交換ネットワーク上の回線の有効利用、呼の１箇所集中を分散させ回線トラヒックの均等化を計ることにある。
【００１０】
【課題を解決するための手段】
上記の目的を達成するために、本発明のインターネットアクセスポイントへの自動接続制御方式は、複数の端末とインターネットに接続するインターネットアクセスサーバーとを収容する複数の交換機におけるインターネットアクセスポイントへの自動接続制御方式であって、ネットワークを介して各交換機と各インターネットアクセスサーバーとを接続する接続制御装置を備え、前記交換機は、前記端末から自局で収容するインターネットアクセスサーバーへの呼設定要求を受けると送信元の電話番号を基に着信先の電話番号が前記接続制御装置の指示による転送先対象のアクセスサーバーであるかの判断を行う判断手段と、転送先対象のアクセスサーバーであった場合には前記接続装置からの指示に従って前記呼設定の変更先を変える変更手段とを有し、前記インターネットアクセスサーバーは、自局の交換機とを接続する空ポートを監視する監視手段と、前記接続制御装置からの空ポート問合せに対して前記空ポート情報を通知する通知手段とを有し、前記接続制御装置は、前記インターネットアクセスサーバーに対して周期的に前記空ポート問合せを行うことで前記インターネットアクセスサーバー毎に前記空ポート情報を収集する収集手段と、前記収集した空ポート情報を分析することで空ポート不足のインターネットアクセスサーバーを検知する検知手段と、登録されているユーザー情報から各前記交換機がどこの前記交換機まで前記呼設定を転送すればよいかの転送先情報を作成することで転送先を判定する判定手段と、前記転送先情報を基に前記各交換機に対してどの交換機経由で空きポート不足のないインターネットアクセスサーバーに転送すればよいかの指示を行う指示手段とを有することを特徴としている。
【００１１】
更に、前記ユーザー情報は、ユーザーの電話番号と接続先の優先順位を付加したインターネットアクセスポイントの電話番号と検知手段で検知する空ポート不足情報とを含み、前記判定手段は、検知手段で検知した空ポート不足のアクセスサーバーの電話番号を基に前記ユーザー情報から優先順位の高いインターネットアクセスポイントの電話番号を検索して前記ユーザーの電話番号に対する転送先の電話番号を含んだ前記転送先情報を作成することを特徴としている。
【００１２】
更に、前記ユーザー情報内のユーザーの電話番号と接続先の優先順位を付加したインターネットアクセスポイントの電話番号とは、前記端末から登録する情報であることを特徴としている。
【００１３】
更に、前記ユーザー情報内の空ポート不足情報を空きポート不足として登録する強制登録手段を有することを特徴としている。
【００１４】
更に、前記交換機は、前記転送先対象のアクセスサーバーであり前記指示手段での空ポート不足のないインターネットアクセスサーバーの指示がなければ前記呼設定の処理を中止する中止手段を有することを特徴としている。
【００１５】
また、本発明のインターネットアクセスポイントへの自動接続制御方法は、複数の端末とインターネットに接続するインターネットアクセスサーバーとを収容する複数の交換機におけるインターネットアクセスポイントへの自動接続制御方法であって、ネットワークを介して各交換機と各インターネットアクセスサーバーとを接続する接続制御装置を準備し、前記交換機は、前記端末から自局で収容するインターネットアクセスサーバーへの呼設定要求を受けると送信元の電話番号を基に着信先の電話番号が前記接続制御装置の指示による転送先対象のアクセスサーバーであるかの判断を行い、転送先対象のアクセスサーバーであった場合には前記接続装置からの指示に従って前記呼設定の変更先を変え、前記インターネットアクセスサーバーは、自局の交換機とを接続する空ポートを監視し、前記接続制御装置からの空ポート問合せに対して監視して得た前記空ポート情報を通知し、前記接続制御装置は、前記インターネットアクセスサーバーに対して周期的に前記空ポート問合せを行って前記インターネットアクセスサーバー毎に前記空ポート情報を収集し、前記収集した空ポート情報を分析して空ポート不足のインターネットアクセスサーバーを検知し、登録されているユーザー情報から前記各交換機がどこの前記交換機まで前記呼設定を転送すればよいかの転送先情報を作成することで転送先を判定し、前記転送先情報を基に前記各交換機に対してどの交換機経由で空きポート不足のないインターネットアクセスサーバーに転送すればよいかの指示を行うことを特徴としている。
【００１６】
更に、前記空ポート不足のインターネットアクセスサーバーを検知した場合には、検知したインターネットアクセスサーバーの電話番号を基に、前記ユーザー情報から優先順位の高いインターネットアクセスポイントの電話番号を抽出して前記ユーザーの電話番号に対する転送先の電話番号を含んだ転送先情報を作成することを特徴としている。
【００１７】
更に、前記ユーザー情報は、前記端末から登録するユーザーの電話番号と接続先の優先順位を付加したインターネットアクセスポイントの電話番号とを含む情報であることを特徴としている。
【００１８】
更に、前記ユーザー情報内に特定の前記アクセスサーバーに対して空きポート不足として登録することを特徴としている。
【００１９】
【発明の実施の形態】
次に、本発明の実施の形態について、図面を参照して説明する。
図１を参照すると、本発明の実施の形態は、インターネット網１００と、ネットワーク２００と、インターネット網１００に接続されたプロバイダーが管理する複数のアクセスサーバー２と、それぞれのアクセスサーバー２のアクセスをカバーする複数の交換機３と、各交換機３に接続された複数の端末４と、ネットワーク２００を介して複数のアクセスサーバー２と複数の交換機３とを接続する接続制御装置１と、複数の端末４と交換機３とを接続する回線網６１と、交換機３とアクセスサーバー２とを接続する回線網６２と、各交換機３間を接続する回線網３００とから構成される。なお、アクセスサーバー２は、アクセスポイントとして電話番号が与えられており、各ユーザーは、アクセスサーバー２と接続した後、インターネット網１００にアクセスすることになる。
【００２０】
図２を参照すると、図１における接続制御装置１とアクセスサーバー２と交換機３との間におけるアクセスポイント接続に伴う詳細な構成を示したブロック図である。
接続制御装置１は、図示していないプロセッサによりプログラム制御で動作する制御部１１と、制御部１１に一定の時間毎に割り込むタイマ１２と、読み出し書き込みのできる記憶部１３と、ネットワーク２００と通信を行うインタフェース部１４と、端末４からの接続時に端末４の画面に表示するための画面情報を保存しているホームページデータベース１５と、情報を入力する入力部１６とから構成される。
【００２１】
制御部１１は、情報収集モジュール１１１と、転送先判定モジュール１１２と、転送指示モジュール１１３とを含む。
【００２２】
情報収集モジュール１１１は、周期的（予め設定されている時間毎：タイマ１２によるタイマ割込みによる）に各アクセスサーバー２に対して空ポート情報の問合せを行い、問合せにより収集した各アクセスサーバー２の空ポート情報を記憶部１３のプロバイダーアクセスポイント管理テーブル１３１（後述説明）に蓄積する。
【００２３】
転送先判定モジュール１１２は、情報収集モジュール１１１が収集した各アクセスサーバー２の空ポート情報を分析して、空ポートが不足したアクセスサーバー２を検知し、各交換機３が現時間にどこの交換機３まで端末４からの呼を転送させれば接続可能になるかを記憶部１３のアクセスポイント転送先テーブル１３３（後述説明）を作成することで判断する。
【００２４】
転送指示モジュール１１３は、転送先判定モジュール１１２からの要求により記憶部１３のアクセスポイント転送先テーブル１３３を宛先のアクセスポイントを収容する交換機毎に分割し、該当する交換機３に対して分割したアクセスポイントテーブルを送信することでどこの交換機３まで転送するかまたは転送要求を中止するかを指示する。
【００２５】
記憶部１３は、プロバイダー毎のアクセスポイントの状態を管理するプロバイダーアクセスポイント管理テーブル１３１のエリアと、ユーザー毎にユーザーが設定したアクセスポイントの電話番号を管理するユーザーアクセスポイント管理テーブル１３２のエリアと、アクセスポイントにアクセスする転送先を管理しているアクセスポイント転送先テーブル１３３のエリアとを割り付けている。
【００２６】
プロバイダーアクセスポイント管理テーブル１３１は、予め各プロバイダーが管理しているアクセスサーバー２から情報を入手し、図３に示されるようなフォーマット例で記憶部１３内に格納されている。すなわち、図３を参照すると、プロバイダーアクセスポイント管理テーブル１３１は、プロバイダー毎に管理され、プロバイダー識別名、アクセスポイント識別名（各アクセスサーバーに相当）、アクセスポイントの電話番号、アクセスポイントのＩＰアドレス、アクセスポイント内の空ポート数の各情報を含む。なお、初期値設定時の空ポート数は、ブランクのままである。
【００２７】
ユーザーアクセスポイント管理テーブル１３２は、ユーザーが端末４を使用して、登録するか、契約時に登録したときに、アクセスサーバー２を経由して記憶部１３のエリアに登録される。すなわち、図４を参照すると、ユーザーアクセスポイント管理テーブル１３２は、ユーザー識別名毎に管理され、ユーザー識別名、送信元を示すユーザー電話番号、アクセスポイントにアクセスする登録電話番号、登録電話番号宛につなぐ優先順を示す優先順位、各アクセスサーバー２の各ポートの不足を示す空ポート不足の各情報を含む。なお、空ポート不足は、初期設定時には、ブランクである。また、優先順位は、数字が低いほど優先が高く、「１」が最優先を示し、更に、優先順位「１」は通常使用時のアクセスポイントを示す。
【００２８】
ホームページデータベース１５は、不揮発性の記録媒体装置（例えば、磁気ディスク装置）内のエリアに予め割り付けられている。
【００２９】
アクセスポイント転送先テーブル１３３は、ポート監視モジュール１１１が収集した空ポート情報（プロバイダーアクセスポイント管理テーブル１３１）とユーザー情報（ユーザーアクセスポイント管理テーブル１３２）とを転送先判定モジュール１１２により分析され、分析された結果が記憶部１３のエリアに登録される。すなわち、図５を参照すると、アクセスポイント転送先テーブル１３３は、送信元電話番号（ユーザー電話番号）毎に管理され、送信元電話番号、宛先電話番号、転送先電話番号の各情報を含む。
【００３０】
アクセスサーバー２は、図示していないプロセッサによりプログラム制御で動作する制御部２１と、ネットワーク２００およびインターネット網１００と通信を行うインタフェース部２２と、回線網６２と通信を行う回線部２３と、読み出し書き込みができると共に回線部２３内の空ポート数を記憶する記憶部２５とから構成される。なお、記憶部２５の空ポート数には、初期設定時（システム立ち上げ時）に、最大の空ポート数が格納されている。
【００３１】
制御部２１は、アクセスサーバー２の回線部２３における空ポートの監視を行い、その結果を記憶部２５に記憶し、更に接続制御装置１１からの要求により空ポート情報を記憶部２５から読み出して接続制御装置１へ知らせる空ポート監視モジュール２１１を含む。
【００３２】
交換機３は、図示していないプロセッサによりプログラム制御で動作する制御部３１と、読み出し書き込みのできる記憶部３２と、ネットワーク２００と通信を行うインタフェース部３３と、呼制御を行う呼制御部３４と、呼制御部３４の基で電子交換のスイッチの切替を行うスイッチ部３５と、回線網６１とのやり取りを行う回線部３６と、回線網６２，３００とのやり取りを行う回線部３７とから構成される。
【００３３】
制御部３１は、接続制御装置１からの転送先変更要求によりアクセスポイントへの呼（呼設定）を別のアクセスポイントへ転送させたり、転送を中止したりする処理を行う呼変更制御モジュール３１１とを含む。
【００３４】
記憶部３２は、アクセスポイントにアクセスする転送先を管理しているアクセスポイント転送先テーブル３２１のエリアを割り付けている。
【００３５】
アクセスポイント転送先テーブル３２１は、アクセスポイントのアクセス先の変更が発生した場合に、接続制御装置１から送られ、制御部３１により記憶部３２のエリアに上書きされる（登録される）。すなわち、図６を参照すると、アクセスポイント転送先テーブル３２１は、交換機３配下の送信元電話番号（ユーザー電話番号）毎に管理され、送信元電話番号、宛先電話番号、転送先電話番号の各情報を含む。
【００３６】
次に、図１〜図７および図９を参照して本発明の実施の形態の動作について説明する。
先ずインターネット接続要求の端末４の利用者から交換機３−Ａに回線網６１を介して接続要求（呼設定）があった場合、回線部３６を介して呼設定を受信した制御部３１は、要因をチェックした後に呼設定から抽出した送信元電話番号と宛先電話番号を基に記憶部３２のアクセスポイント転送先テーブル３２１を検索し、一致する個所がある（登録されている）と、アクセスポイント転送先テーブル３２１の転送先電話番号欄に転送先電話番号が登録されているかをチェックする。登録されていれば、制御部３１は、呼設定内の宛先電話番号をアクセスポイント転送先テーブル３２１の転送先電話番号欄に登録されている転送先電話番号に置き換え、制御を呼制御部３４に渡すことで動作を終了する（図９のステップＳ３１〜Ｓ３６）。
【００３７】
この場合、制御を受け取った呼制御部３４は、制御部３１から受け取った宛先電話番号からスイッチ部３５にスイッチングの指示を出し（回線部３６から該当する回線部３７内のポートにパスを張るために）、回線部３７および回線網３００を介して、宛先電話番号の管理下にある（宛先電話番号を収容している）交換機３に対して宛先変更後の呼設定を送信する。すなわち、宛先変更後のアクセスサーバーを２−Ｂとした場合、変更後の呼設定は回線網３００を介して交換機３−Ｂに送信されることになる。呼設定を回線部３７を介して受信した交換機３−Ｂの呼制御部３４は、スイッチ部３５に対してスイッチングを行い、回線部３７および回線網６２を介して呼設定をアクセスサーバー２−Ｂに送信する。回線部２３内のポートを介して呼設定を受信したアクセスサーバー２−Ｂの制御部２１が呼設定に対する応答を返すことで、端末４とアクセスサーバー２−Ｂとの間で通信パスが設定されることとなる。更に、制御部２１は、応答を返した後、制御を空ポートモジュール２１１に制御を渡し、制御を渡された空ポート監視モジュール２１１は、記憶部２５内の空ポート数を１減算する（図７のステップＳ２１，Ｓ２３）。
【００３８】
やがて、通信パスの切断が発生すると、空ポート監視モジュール２１１は、記憶部２５内の空ポート数を１加算する（ステップＳ２１，Ｓ２４）。
【００３９】
このようにして、アクセスサーバー２の制御部２１の空ポート監視モジュール２１１は、着個、発呼、および切断が発生するたびに、記憶部２５内の空ポート数が増減を行い、空ポート数を記憶部２５に記憶することにより、空ポートを常に監視することができる。今、空ポート数が１になった時点で、インタフェース部２２を介して接続制御装置１から空ポート情報収集の依頼があると、制御部２１は、要因を解析し、空ポート情報を記憶部２５から読み出し、読み出した情報（空ポート数の値が「１」の情報を含む）を接続制御装置１に送信する（ステップＳ２１，Ｓ２２）。
【００４０】
一方、接続制御装置１のタイマ１２には、予め設定された時間に割り込みが発生するように値が設定されており、この割込みが一定間隔で制御部１１に対して発生する。このタイマ割込みが発生すると、制御部１１は、制御を情報収集モジュール１１１に渡す。制御を渡された情報収集モジュール１１１は、空ポート情報の問合せを、記憶部１３のプロバイダーアクセスポイント管理テーブル１３１のＩＰアドレス欄に登録されている全ＩＰアドレス宛（全アクセスサーバー２宛）にネットワーク２００を介して行う。このようにして、情報収集モジュール１１１は、ステップＳ２１，Ｓ２２の処理による各アクセスサーバー２から受信した空ポート数をプロバイダーアクセスポイント管理テーブル１３１の該当する空ポート数エリアに格納し、制御を転送判定モジュール１１２に渡す。このときのアクセスサーバー２−Ｂに該当する空ポート数には、先ほどの１が設定される（ステップＳ１１〜Ｓ１２）。
【００４１】
次に制御を渡された制御部１１の転送先決定モジュール１１２は、プロバイダーアクセスポイント管理テーブル１３１の空ポート数が予め決められた値（例えば、１）以下であるかを検索し、予め決められた値以下である場合には、ユーザーアクセスポイント管理テーブル１３２の登録電話番号に該当する空ポート不足エリアに不足を示す「１」を記憶する。従って、アクセスサーバー４−Ａ（アクセスポイント識別名が４−Ａ）の電話番号を持つユーザー４−Ａ−である空ポート不足のエリアに「１」が設定される。更に、転送先決定モジュール１１２は、記憶部１３のユーザーアクセスポイント管理テーブル１３２の空ポート不足欄を検索し、「１」であって優先順位欄が「１」であると、そのユーザーのユーザー電話番号と優先順位「２」の登録電話番号を読み出して、アクセスポイント転送先テーブル１３３に登録（優先順位欄「１」の登録電話番号を宛先電話番号欄に、優先順位「２」の登録電話番号を転送先電話番号欄にそれぞれ登録）する。この場合、空ポート不足が「１」であっても、転送先決定モジュール１１２は、空ポート不足のあった登録電話番号よりも優先順位の高い登録電話番号が空ポート不足でなければ、何もしない、また、優先順位が複数あった場合は、転送先決定モジュール１１２は、次の優先順位に該当する登録電話番号を読み出して、アクセスポイント転送先テーブル１３３に登録する。登録してある優先順位が全て空ポート不足であれば、転送先決定モジュール１１２は、該当する送信元電話番号の宛先電話番号欄にブランクを記憶する。なお、このブランクは、交換機３に対して、該当する送信元電話番号からかかってきた場合、転送番号がないことを意味し、転送要求の中止を意味する。検索が終了すると、転送先判定モジュール１３２は、制御を転送先指示モジュール１１３に渡す（ステップＳ１３，Ｓ１４）。
【００４２】
制御を渡された制御部１１の転送先指示モジュール１１３は、記憶部１３のアクセスポイント転送先テーブル１３３を各交換機３の配下単位（収容しているエリアごと）に分割し、分割したアクセスポイント転送先テーブル１３３をそれぞれの該当する交換機３に送信する。送信した後、転送先指示モジュール１１３は、記憶部１３のユーザーアクセスポイント管理テーブル１３２の空ポート不足欄のデータをクリアし、アクセスポイント転送先テーブル１３３のデータを消去する（ステップＳ１５，Ｓ１６）。
【００４３】
このようにして、最初に説明した図９で示すフローチャートの動作を行うことになる。なお、ステップＳ３４において、登録されていなければ（転送先電話番号欄がブランクの場合）、制御部３２は、呼制御部３４に呼設定の中止を依頼し、動作を終了する（ステップＳ３７）。この場合、依頼を受け取った呼制御部３４は、呼設定の中止処理を行う。
【００４４】
次に、ユーザーの端末４から接続制御装置１の記憶部１３のユーザーアクセスポイント管理テーブル１３２に登録する場合について説明する。
【００４５】
先ず、ユーザーが端末４でブラウザを立ち上げ、端末４からユーザーの契約しているプロバイダーのアクセスサーバー２に接続した後にＵＲＬ（Ｕｎｉｆｏｒｍ  Ｒｅｓｏｕｒｃｅ  Ｌｏｃａｔｏｒ）で、端末４を接続制御装置１に接続する（端末４と接続制御装置１間で通信パスが設定される）。
【００４６】
接続された接続制御装置１の制御部１１は、ホームペ−ジデータベース１５からメニュー画面情報（メニューにはアクセスポイント登録要求が含まれている）を読み出し、端末４の画面に表示させる。ユーザーは、その表示画面に従って、アクセスポイント登録要求を選択すると、端末４から接続制御装置１に選択した情報が送信される。インタフェース部１４を介して受信した制御部１１は、ホームページデータベース１５からアクセスポイント登録画面情報を読み出し、端末４へ送信することにより端末４の画面にアクセスポイント登録画面を表示させる。ユーザーは画面に従って必要な情報であるユーザー電話番号（送信元電話番号）、登録電話番号（空ポート不足時の転送先電話番号）、登録電話番号に対する優先順位等の個人情報を入力すると、入力した個人情報を接続制御装置１に送信する。インタフェース部１４を介して個人情報を受信した接続制御装置１の制御部１１は、記憶部１３のユーザーアクセスポイント管理テーブル１３２のユーザー識別名に該当するエリアに、受信した個人情報からユーザー電話番号、登録電話番号、および登録電話番号に対する優先順位を登録する。
【００４７】
従って、接続しようとするアクセスポイントのポート不足が発生した場合でもユーザーが意図としないインターネットアクセスポイントにつながることはなく、かつユーザーが登録した希望するインターネットアクセスポイントに優先順位に従って接続することができる。
【００４８】
以上説明したように、アクセスサーバー２のポート数の制限をうける前に交換機３が、アクセスポイント転送先テーブル３２１から、空ポート不足のアクセスサーバー２を把握して空ポートのあるアクセスサーバー２に転送するようにしているため、インターネット利用のユーザーがアクセスポイントのリソース不足による接続拒否にあう事なく、１回の接続操作によりユーザー利用可能（ユーザーが接続しても構わないと登録したアクセスポイント）なアクセスポイントに接続することができる。
【００４９】
また、アクセスサーバー２のポート数の制限をうける前に交換機３が、アクセスポイント転送先テーブル３２１から、空ポート不足のアクセスサーバー２を把握して空ポートのあるアクセスサーバー２に転送するようにしているため、交換機側の無駄な接続処理を軽減させ、交換ネットワーク上の回線の有効利用、呼の１箇所集中を分散させ回線トラヒックの均等化を計ることができる。
【００５０】
次に、図１０のシーケンス図を用いて、以上説明した動作を簡単に説明すると、以下の通りになる
先ずインターネット接続要求の端末４の利用者１から交換機３−Ａに回線網６１を介して接続要求（呼設定）があった場合、交換機３−Ａの制御部３１は、送信元の電話番号を基に着信先の電話番号が転送先対象のアクセスサーバーであるかの判定を行い、転送先変更対象のアクセスサーバーへの着信であった場合、自局（自交換機：交換機３―Ａ）接続のアクセスサーバーに着信させるか他局（交換機３−Ａ以外の交換機３）へ転送させるかを接続制御装置１からの指示に従って行う。この場合、利用者１が接続要求した時に交換機３−Ａにおいて空ポート不足になっていなかった場合には、交換機３−Ｂ局へ呼をそのまま転送させ転送先に接続されるアクセスサーバー２―Ｂに着信させることにより、端末４とアクセスサーバー２−Ｂとの間で通信パスが設定される（シーケンスＫ１）。
【００５１】
アクセスサーバー２−Ｂでは、常に空きポートをカウントする空ポート監視モジュール２１１が動作しており、接続制御装置１の情報収集モジュール１１１からの周期的な空きポート情報の問い合わせに対して、空きポート情報（この場合空ポート不足が発生しているものとする）を提供する。転送先判定モジュール１１２は、情報収集モジュール１１１が収集した情報を基に検知した空ポート不足のアクセスサーバー２と使用可能なアクセスサーバー情報とを分析して交換機３−Ａの呼をどの交換機へ転送させればよいかの転送先情報を転送指示モジュール１１３に出す。制御を受けた転送指示モジュール１１３は、交換機３−Ａに対して、転送先情報を基に交換機３−Ｂへの呼の転送要求（転送先電話番号を通知することにより要求）の指示を行う（シーケンスＫ２）。
【００５２】
交換機３−Ａ収容の利用者２が端末４を使用してアクセスサーバー２−Ａにアクセスすると、交換機３−Ａにて交換機３−Ｂ収容のアクセスサーバーＢに呼が転送され、端末４とアクセスサーバー２−Ｂと間で通信パスが設定される（シーケンスＫ３）。
【００５３】
よって交換機３−Ａ収容の利用者２は、交換機３−Ａのアクセスサーバーに発呼したつもりでも交換機３−Ｂ側のアクセスサーバー２−Ｂに着信でき、アクセスサーバー２−Ａに空きポートが不足している時も自動的にインターネットに接続可能となる。
【００５４】
以上説明したように、図２のインターネット利用者２が交換機Ａに接続されるアクセスサーバーＡに着信させようとした時、交換機Ａは接続制御装置よりの指示により交換機Ｂに接続するアクセスサーバーに接続させる為、利用者２よりの呼を交換機Ｂへ転送処理させる。このことにより利用者２はアクセスサーバーＡの空きポートが無い時でもアクセスポイントの電話番号を変更することなく１回の接続操作でインターネットに接続することが可能となる。
【００５５】
次に、アクセスサーバーを保守する場合について、図面を参照して説明する。アクセスサーバーを保守管理する上において保守者がアクセスサーバーを定期的に保守整備する間、強制的に保守するアクセスサーバーに接続されるインターネット接続要求の呼を他のアクセスサーバーに接続するように迂回させることも可能である。これに関して、上記の図１〜図７および図９と比較すると、接続制御装置１がアクセスサーバー２から空ポート情報の収集の基に、転送先のアクセスサーバー２の電話番号を変更していたのを、接続装置１自身の入力部１６（例えば、キーボード）からアクセスさせたくないアクセスサーバー２の電話番号を入力することで強制的に空ポート不足とする点で相違する。
【００５６】
すなわち、図９を参照すると、接続制御装置１の入力部１６から空ポート不足を示すアクセスサーバー２の電話番号が入力されると、制御部１１は、入力された電話番号を基に記憶部１３のユーザーアクセスポイント管理テーブル１３２を検索し、入力された電話番号とテーブルの電話番号欄に登録されている電話番号と一致すると、一致した電話番号に該当する空ポート不足欄に１を登録する。更に、転送先決定モジュール１１２は、記憶部１３のユーザーアクセスポイント管理テーブル１３２の空ポート不足欄を検索し、「１」であり、優先順位欄が「１」であると、そのユーザーのユーザー電話番号と優先順位「２」の登録電話番号を読み出して、アクセスポイント転送先テーブル１３３に登録する。このようにして、アクセスポイント転送先テーブル１３３の作成が終わると、制御を転送指示モジュール１１３に渡す。すなわち、図７のステップＳ１５にジャンプする。それ以降の接続制御装置１の動作および交換機３の動作は上記で説明した動作と同じなので説明を省略する。
【００５７】
以上説明したように、保守においても、強制的に保守したいアクセスサーバー２の空ポート不足に設定することで、ユーザーが要望する転送先のアクセスサーバーに迂回させることができる。
【００５８】
【発明の効果】
以上説明したように、本発明は、アクセスサーバーのポート数の制限をうける前に交換機が空ポート不足のアクセスサーバーを把握し、空ポートのあるアクセスサーバーに転送するようにしているため、インターネット利用者の多い都市部において各プロバイダーの１アクセスポイントにおける設置アクセスサーバーのポート数の制限をうけることなく、そのプロバイダー契約の利用者はいつでもインターネット接続を行うことが可能となる効果がある。
【００５９】
また、本発明は、アクセスサーバーのポート数の制限をうける前に交換機が空ポート不足のアクセスサーバーを把握し、空ポートのあるアクセスサーバーに転送するようにしているため、インターネット接続トラヒック量の多い時間帯においても利用者が接続不可となるため繰り返し接続要求の発呼を行うこともなく、回線交換機側は不完了呼のトラヒック量が増えることもなく、無駄なリソース使用が発生することもなく、不完了呼のトラヒックを抑えることができると共に、交換機側およびアクセスサーバーのリソースを有効利用することが可能となる効果がある。
【図面の簡単な説明】
【図１】本発明の実施の形態の構成を示すシステムのブロック図である。
【図２】図１における接続制御装置、交換機、およびアクセスサーバー内の詳細な構成を示すブロックである。
【図３】図２のプロバイダーアクセスポイント管理テーブルのフォーマットを示す構成図である。
【図４】図２のユーザーアクセスポイント管理テーブルのフォーマットを示す構成図である。
【図５】図２の転送制御装置内のアクセスポイント転送先テーブルのフォーマットを示す構成図である。
【図６】図２の各交換機内のアクセスポイント転送先テーブルのフォーマットを示す構成図である。
【図７】図２の接続制御装置の制御部およびアクセスサーバーの制御部の本発明の実施の形態における動作を示すフローチャートである。
【図８】図２の接続制御装置自身からの空ポート不足設定の入力による制御部の動作を示すフローチャートである。
【図９】図２の交換機の制御部の本発明の実施の形態における動作を示すフローチャートである。
【図１０】図１の各装置間における本発明の実施の形態のシーケンスの動作の概略を示す動作シーケンスである。
【符号の説明】
１    接続制御装置
２    アクセスサーバー
３    交換機
４    端末
１１，２１，３１    制御部
１２    タイマ
１３，２５，３２    記憶部
１４，２２，３３    インタフェース部
１５    ホームページデータベース
１６    入力部
２３，３６，３７    回線部
３４    呼制御部
３５    スイッチ部
６１，６２，３００    回線網
１００    インターネット網
１１１    情報収集モジュール
１１２    転送先判定モジュール
１１３    転送指示モジュール
１３１    プロバイダーアクセスポイント管理テーブル
１３２    ユーザーアクセスポイント管理テーブル
１３３，３２１    アクセスポイント転送先テーブル
２００    ネットワーク
２１１    空ポート監視モジュール
３１１    呼変更制御モジュール
【図１】
0003607607.tif 000002
【図２】
0003607607.tif 000003
【図３】
0003607607.tif 000004
【図４】
0003607607.tif 000005
【図５】
0003607607.tif 000006
【図６】
0003607607.tif 000007
【図７】
0003607607.tif 000008
【図８】
0003607607.tif 000009
【図９】
0003607607.tif 000010
【図１０】
0003607607.tif 000011